(57)【要約】    【課題】  譜面立てをパネル部上の左右方向における任意の位置に立設できると共に、左右端部近傍に立設したときでも譜面の見やすさを確保する。    【解決手段】  鍵盤楽器本体３０のパネル部３３に設けられた譜面立て立設部５０は、弧状溝部５２と斜面部５１とから成り、平面視弓形を呈している。弧状溝部５２を構成する前壁５３及び後壁５５は、後方に凸となるように円弧状に湾曲している。譜面立て１０の２つの脚部２０の板状部１２及び譜面板１１も同様に湾曲している。脚部２０は、その板状部１２の前後に形成された当接リブ１３、１４、１５が、弧状溝部５２の任意の位置に嵌合可能であり、脚部２０を弧状溝部５２に嵌合することで、譜面立て１０をパネル部３３上の左右方向における所望の位置に立設可能である。【選択図】      図２
2006251716.tif 000002
【特許請求の範囲】
【請求項１】
前部に配置された複数の鍵からなる鍵盤部と、
前記鍵盤部の後方に設けられたパネル部と、
前記パネル部に設けられたパネル側係合部であって、脚部と該脚部に突状または溝状に形成された譜面立て側係合部とを有して譜面を保持する譜面立ての前記譜面立て側係合部と係合するパネル側係合部とを有し、
前記パネル側係合部は、前記譜面立ての前記譜面立て側係合部が左右方向における任意の位置で当該パネル側係合部に係合可能なように、前記譜面立て側係合部に対して嵌合的な溝状または突状に形成され、
前記パネル側係合部は後方に凸となるように湾曲しており、且つ、前記譜面立て側係合部を前記パネル側係合部に係合させることで、前記譜面立てを前記パネル部上の左右方向における任意の位置に立設可能であることを特徴とする鍵盤楽器。
【請求項２】
前記譜面立ての前記譜面立て側係合部は突状であると共に、前記パネル部の前記パネル側係合部は、底付きの溝状であることを特徴とする請求項１記載の鍵盤楽器。
【請求項３】
前記パネル部の左右両端部に設けられ、楽音を少なくとも前方に放音する左右の放音部を有し、前記譜面立てを、前記パネル部に対して立設可能な範囲における左限／右限位置に立設したとき、前記譜面立ての左端／右端が前記左右の放音部を実質的に遮らないような位置に位置するように、前記パネル側係合部が構成されていることを特徴とする請求項１または２記載の鍵盤楽器。
【請求項４】
前記譜面立ての前記譜面立て側係合部は突状であると共に、前記パネル部の前記パネル側係合部は溝状であり、前記譜面立てを前記パネル部に立設する際、前記譜面立て側係合部を前記パネル側係合部に係合させるように導く係合ガイド部が設けられたことを特徴とする請求項１〜３のいずれか１項に記載の鍵盤楽器。
【請求項５】
前記譜面立ての前記譜面立て側係合部は突状であると共に、前記パネル部の前記パネル側係合部は溝状であり、前記パネル側係合部の前方において、後方にいくにつれて下方に傾斜して前記パネル側係合部に繋がる傾斜部が設けられたことを特徴とする請求項１〜４のいずれか１項に記載の鍵盤楽器。
【請求項６】
前部に配置された複数の鍵からなる鍵盤部と、
前記鍵盤部の後方に設けられたパネル部と、
脚部を有し、譜面を保持する譜面立てと、
前記パネル部に設けられたパネル側係合部と、
前記譜面立ての前記脚部に設けられた譜面立て側係合部とを有し、
前記譜面立て側係合部は、突状または溝状に形成される一方、前記パネル側係合部は、左右方向における任意の位置で前記譜面立て側係合部が係合可能なように、前記譜面立て側係合部に対して嵌合的な溝状または突状に形成され、
前記パネル側係合部及び前記譜面立て側係合部の少なくとも一方は後方に凸となるように湾曲しており、且つ、前記譜面立て側係合部を前記パネル側係合部に係合させることで、前記譜面立てを前記パネル部上の左右方向における任意の位置に立設可能であることを特徴とする鍵盤楽器。
【請求項７】
前記譜面立ては、複数設けられ、それらの左右方向の幅の合計が当該鍵盤楽器の左右方向全幅と同等以下であり、前記複数の譜面立てを、前記パネル部上に左右方向に隣接して同時に並設可能であることを特徴とする請求項６記載の鍵盤楽器。
【発明の詳細な説明】
【技術分野】
【０００１】
本発明は、パネル部に、譜面を保持する譜面立てを立設することができる鍵盤楽器に関する。
【背景技術】
【０００２】
従来、電子オルガン、電子ピアノ等の鍵盤楽器を演奏する際に譜面を保持する譜面台乃至譜面立てを、楽器本体の左右方向（幅方向）の任意の位置に取り付けることができるようにした鍵盤楽器が知られている。例えば、下記特許文献１では、パネルの後部背面に設けた突出部に、譜面台取り付け溝を全長に亘って均一な幅に設けると共に、該譜面台取り付け溝に譜面台押さえを全長に亘って形成し、譜面台の下部に設けた差込部を上記譜面台取り付け溝に差し込み、これを譜面台押さえで押さえることで、譜面台を任意の位置に立設することができる。
【特許文献１】特許２５７０９４０号公報
【発明の開示】
【発明が解決しようとする課題】
【０００３】
しかしながら、上記特許文献１では、譜面台取り付け溝が左右方向に真っ直ぐ延びているので、譜面台をどの位置に立設したとしても常に正面（前方）を向くことになる。そのため、譜面台を左右の端部近傍に立設した状態では、譜面台上に載置した譜面が奏者からは斜めになって見にくくなるという問題があった。
【０００４】
本発明は上記従来技術の問題を解決するためになされたものであり、その目的は、譜面立てをパネル部上の左右方向における任意の位置に立設できると共に、左右端部近傍に立設したときでも譜面の見やすさを確保することができる鍵盤楽器を提供することにある。
【課題を解決するための手段】
【０００５】
上記目的を達成するために本発明の請求項１の鍵盤楽器は、前部に配置された複数の鍵からなる鍵盤部（３２）と、前記鍵盤部の後方に設けられたパネル部（３３、１３３）と、前記パネル部に設けられたパネル側係合部（５２、１５２、２５２、３５２）であって、脚部（２０、１２０、２２０、３２０）と該脚部に突状または溝状に形成された譜面立て側係合部（１２、１３、１４、１５、２２１、３２１）とを有して譜面（９）を保持する譜面立て（１０、１１０、２１０、３１０）の前記譜面立て側係合部と係合するパネル側係合部とを有し、前記パネル側係合部は、前記譜面立ての前記譜面立て側係合部が左右方向における任意の位置で当該パネル側係合部に係合可能なように、前記譜面立て側係合部に対して嵌合的な溝状または突状に形成され、前記パネル側係合部は後方に凸となるように湾曲しており、且つ、前記譜面立て側係合部を前記パネル側係合部に係合させることで、前記譜面立てを前記パネル部上の左右方向における任意の位置に立設可能であることを特徴とする。
【０００６】
好ましくは、前記譜面立ての前記譜面立て側係合部は突状であると共に、前記パネル部の前記パネル側係合部は、底付きの溝状である（請求項２）。さらに好ましくは、前記パネル部の左右両端部に設けられ、楽音を少なくとも前方に放音する左右の放音部（３４、３５）を有し、前記譜面立てを、前記パネル部に対して立設可能な範囲における左限／右限位置に立設したとき、前記譜面立ての左端／右端（１０ａ、１０ｂ）が前記左右の放音部を実質的に遮らないような位置（Ｐ１、Ｐ２）に位置するように、前記パネル側係合部が構成されている（請求項３）。
【０００７】
さらに好ましくは、前記譜面立ての前記譜面立て側係合部は突状であると共に、前記パネル部の前記パネル側係合部は溝状であり、前記譜面立てを前記パネル部に立設する際、前記譜面立て側係合部を前記パネル側係合部に係合させるように導く係合ガイド部（５１、１３３ａ）が設けられる（請求項４）。
【０００８】
さらに好ましくは、前記譜面立ての前記譜面立て側係合部は突状であると共に、前記パネル部の前記パネル側係合部は溝状であり、前記パネル側係合部の前方において、後方にいくにつれて下方に傾斜して前記パネル側係合部に繋がる傾斜部（５１）が設けられる（請求項５）。
【０００９】
上記目的を達成するために本発明の請求項６の鍵盤楽器は、前部に配置された複数の鍵からなる鍵盤部（３２）と、前記鍵盤部の後方に設けられたパネル部（３３、１３３）と、脚部（２０、１２０、２２０、３２０）を有し、譜面（９）を保持する譜面立て（１０、１１０、２１０、３１０）と、前記パネル部に設けられたパネル側係合部（５２、１５２、２５２、３５２）と、前記譜面立ての前記脚部に設けられた譜面立て側係合部（１２、１３、１４、１５、２２１、３２１）とを有し、前記譜面立て側係合部は、突状または溝状に形成される一方、前記パネル側係合部は、左右方向における任意の位置で前記譜面立て側係合部が係合可能なように、前記譜面立て側係合部に対して嵌合的な溝状または突状に形成され、前記パネル側係合部及び前記譜面立て側係合部の少なくとも一方は後方に凸となるように湾曲しており、且つ、前記譜面立て側係合部を前記パネル側係合部に係合させることで、前記譜面立てを前記パネル部上の左右方向における任意の位置に立設可能であることを特徴とする。
【００１０】
好ましくは、前記譜面立ては、複数設けられ、それらの左右方向の幅の合計が当該鍵盤楽器の左右方向全幅と同等以下であり、前記複数の譜面立てを、前記パネル部上に左右方向に隣接して同時に並設可能である（請求項７）。
【００１１】
なお、上記括弧内の符号は例示である。
【発明の効果】
【００１２】
本発明によれば、譜面立てをパネル部上の左右方向における任意の位置に立設できると共に、左右端部近傍に立設したときでも譜面の見やすさを確保することができる。
【発明を実施するための最良の形態】
【００１３】
以下、本発明の実施の形態を図面を参照して説明する。
【００１４】
図１（ａ）は、本発明の一実施の形態に係る鍵盤楽器の斜視図である。図１（ｂ）は、同鍵盤楽器の右側面図である。
【００１５】
本鍵盤楽器１００は、鍵盤楽器本体３０と、鍵盤楽器本体３０とは別体に構成される譜面立て１０とから成る。同図１（ａ）、（ｂ）では、鍵盤楽器本体３０に譜面立て１０を立設した状態が示されている。以降、鍵盤楽器本体３０の奏者側を前方（手前側）とし、左右方向は奏者を基準として呼称する。
【００１６】
鍵盤楽器本体３０において、複数の鍵から成る鍵盤部３２が前部に配置され、鍵盤部３２の後方にパネル部３３が設けられている。同図（ｂ）に示すように、鍵盤楽器本体３０は、上ケース３１及び下ケース８が組み付けられて成る。詳細は後述するが、パネル部３３には、譜面立て立設部５０が設けられ、譜面９を保持する譜面立て１０は、この譜面立て立設部５０に対して立設（乃至装着）／取り外しが可能となっている。
【００１７】
図２（ａ）は、鍵盤楽器本体３０の平面図、同図（ｂ）は鍵盤楽器本体３０の背面図である。同図（ａ）に示すように、パネル部３３の左端部には、機能スイッチ３６、マスターボリュームスイッチ３７、パワースイッチ３８が設けられている。パネル部３３の左右両端部において、パネル部３３から背面５７にかけて、楽音を放音する放音部３４、３５が設けられている。鍵盤楽器本体３０内部には、不図示の楽音発生装置が設けられており、鍵盤部３２の演奏等による楽音が、放音部３４、３５から主に後方、上方及び前方に放音される。例えば、放音部３４、３５は、鍵盤楽器本体３０の内部で、背面５７側を向いて取り付けられたスピーカ（図示せず）と多孔を有する放音ネットカバーとから成り、その上面は、パネル部３３とほぼ面一に構成される。従って、楽音は、背面５７から後方へ発散すると共に、放音ネットカバーの上面から上方及び前方へと発散することになる。
【００１８】
図３は、上ケース３１の裏面図である。図４は、図３のＡ−Ａ線に沿う断面図である。図４に示すように、上ケース３１には、その前部及び後部の各下部に下ケース取り付け部４８、４９が設けられ、下ケース取り付け部４８、４９を介して、不図示のネジで下ケース８と連結固定される。
【００１９】
図２（ａ）に示すように、譜面立て立設部５０は、パネル部３３において、鍵盤楽器本体３０の全幅よりやや短い長さに亘って左右対称に設けられる。譜面立て立設部５０は、弧状溝部５２と弧状溝部５２の直ぐ前方において弧状溝部５２に連接して形成された斜面部５１とから成り、平面視弓形を呈している。
【００２０】
図４に示すように、弧状溝部５２は、前壁５３の後面５３ａ、底壁５４の上面である底面５４ａ、及び後壁５５の前面５５ａによって、断面略コ字状で底付きの溝状に形成されている。前壁５３の後面５３ａ及び後壁５５の前面５５ａは、テーパ面となっていて、上方にいくにつれて弧状溝部５２が僅かに拡開している。その拡開の度合いは、樹脂成形時に必要な抜き勾配より大きい（例えば抜き勾配の３倍程度）。図２（ａ）、図３に示すように、弧状溝部５２を構成する前壁５３及び後壁５５は、前方に中心を有する半径Ｒ１（例えば、約５０００ｍｍ、曲率＝１／５０００（１／ｍｍ））の緩やかな曲線に沿って円弧状に形成されており、後方に凸となるように湾曲している。従って、弧状溝部５２は、その左右方向（長さ方向）中央部が、鍵盤楽器１００の前端位置から最も離れており、その左右端部にいくほど鍵盤楽器１００の前端位置に近くなっている。
【００２１】
また、図４に示すように、後壁５５の上部には、後壁５５よりも後方に傾斜した面取り部５６が後壁５５の前面５５ａに連接して設けられ、面取り部５６によって前面５５ａがパネル部３３と繋がっている。一方、上記斜面部５１は、前壁５３の上部に連接して設けられ、斜面部５１によって、前壁５３の後面５３ａがパネル部３３と繋がっている。斜面部５１は、パネル部３３から前壁５３の上部にかけて緩やかに傾斜した平面であり、その前端５１ａは、図２（ａ）に示すように、左右方向に延びる直線状になっている。
【００２２】
図２（ａ）に示すように、譜面立て立設部５０において、斜面部５１は平面視弓形であり、譜面立て立設部５０の全長に亘って存在するが、弧状溝部５２の左右端部５２ａ、５２ｂは、譜面立て立設部５０の左右端位置よりもやや左右方向内側に位置する。
【００２３】
図３、図４に示すように、上ケース３１において、後壁５５には、後方に向かって上ケース３１の後部まで延びる複数の縦リブ３９が連接して設けられる。また、前壁５３には、前方に向かって延びる複数の縦リブ４０が連接して設けられ、さらに、各縦リブ４０からは、前方に向かって各１つの縦リブ４１が連接して設けられる。また、複数の横リブ４２が、隣接する縦リブ４０及び縦リブ４１間を繋ぐように、該隣接する縦リブ４０及び縦リブ４１に連接して左右方向に延びている。さらに、弧状溝部５２を横切るように、複数の縦リブ４７が前後方向に延設されている。
【００２４】
これら、複数の縦リブ３９、４０、４１、４７及び横リブ４２は、上ケース３１を補強するだけでなく、直接または間接的に弧状溝部５２に接続されていることで、弧状溝部５２の補強の役割も果たす。すなわち、複数の横リブ４２が、弧状溝部５２の長手方向に沿って並設され、しかも弧状溝部５２が呈する弧の頂点近傍に、縦リブ４０、４１が存在することで、譜面立て１０の鍵盤楽器本体３０への着脱作業時における垂直方向にかかる応力に十分に耐えるようになっている。横リブ４２、縦リブ４０、４１は複数有するのが好ましいが、１つであってもよい。
【００２５】
また、弧状溝部５２の近傍には、下ケース８を組み付けるためのボス４３、４４、４５が設けられ、ボス４５には横リブ４６が連接して設けられている。これらも、弧状溝部５２の補強の役割を果たす。
【００２６】
図５（ａ）は、譜面立て１０の正面図、同図（ｂ）は譜面立て１０の底面図、同図（ｃ）は同図（ａ）のＢ−Ｂ線に沿う断面図である。図６は、図５（ｂ）のＣ−Ｃ線に沿う断面に譜面立て立設部５０の断面を併せて示した図である。
【００２７】
図５（ａ）、（ｃ）に示すように、譜面立て１０は、その下部において互いに離間した位置に設けられる２つの脚部２０（２０Ｌ、２０Ｒ）と、譜面９の下端を保持する譜面受け部１７と、譜面９の背面を支える譜面板１１とを有する。譜面立て１０は、例えば半透明の樹脂製で一体に構成される。脚部２０Ｌ、２０Ｒは、下方に延設された板状部１２（１２Ｌ、１２Ｒ）を有する。図５（ｂ）に示すように、板状部１２Ｌ、１２Ｒはいずれも、前方に中心を有する半径Ｒ２の緩やかな曲線に沿って形成されており、後方に凸となるように湾曲している。また、譜面板１１も、板状部１２Ｌ、１２Ｒと同様に半径Ｒ２の曲線に沿って湾曲している。
【００２８】
ここで、半径Ｒ２の値は、図２（ａ）に示す弧状溝部５２（の前壁５３及び後壁５５）のカーブの半径Ｒ１と同じである。しかも、脚部２０Ｌと脚部２０Ｒは、いずれも弧状溝部５２のカーブに沿った位置関係にあり、一方が弧状溝部５２に係合するとき、他方も弧状溝部５２に係合するようになっている。すなわち、脚部２０Ｌ、２０Ｒを、共に弧状溝部５２のカーブ上に位置させたとき、脚部２０Ｌ、２０Ｒの板状部１２Ｌ、１２Ｒは、弧状溝部５２と同じ曲率で同じ方向に湾曲した状態となる。
【００２９】
板状部１２の左右方向中央には当接リブ１３（１３Ｌ、１３Ｒ）が設けられ、板状部１２の左右方向端部には当接リブ１４（１４Ｌ、１４Ｒ）、１５（１５Ｌ、１５Ｒ）が互いに離間して設けられる。当接リブ１３Ｌ、１３Ｒは、板状部１２Ｌ、１２Ｒの前側面にそれぞれ一体に形成され、当接リブ１４Ｌ、１５Ｌ、当接リブ１４Ｒ、１５Ｒは、板状部１２Ｌ、１２Ｒの後側面にそれぞれ一体に形成されている。この他、譜面受け部１７より下方において、脚部２０Ｌ、２０Ｒ以外の箇所に、補強用の縦リブ１６が複数形成されている（図５（ｂ）参照）。
【００３０】
図６を用いて、譜面立て１０の譜面立て立設部５０への立設態様を説明する。同図において、代表して、譜面立て１０の脚部２０Ｌが弧状溝部５２に係合する様子を示すが、脚部２０Ｒについても、その構成及び係合の態様は全く同様である。
【００３１】
脚部２０Ｌは、弧状溝部５２に対して嵌合的に構成されている。すなわち、弧状溝部５２の前壁５３の後面５３ａ及び後壁５５の前面５５ａのテーパ形状に対応して、脚部２０Ｌの当接リブ１３Ｌは上方にいくにつれて前方に傾斜し、当接リブ１４Ｌ、１５Ｌは上方にいくにつれて後方に傾斜している。板状部１２Ｌは、当接リブ１３Ｌ、１４Ｌ、１５Ｌより少し下方に突出している。
【００３２】
脚部２０Ｌが弧状溝部５２に挿入されると、板状部１２Ｌが、底面５４ａから間隙を保った状態で、弧状溝部５２に対して当接リブ１３Ｌ、１４Ｌ、１５Ｌが嵌合状態で係合する。弧状溝部５２のテーパ形状と当接リブ１３Ｌ、１４Ｌ、１５Ｌのテーパ形状とが対応していることによって、譜面立て１０は安定して弧状溝部５２に支持される。このとき、譜面板１１は後方に傾斜する（図１（ｂ）参照）。
【００３３】
譜面立て１０を譜面立て立設部５０に立設するには、通常、弧状溝部５２より前方において、パネル部３３上に脚部２０Ｌ、２０Ｒを当接させ、斜面部５１上を後方にスライドさせていく。そして、脚部２０Ｌ、２０Ｒが弧状溝部５２の位置まで来ると、譜面立て１０の自重により脚部２０Ｌ、２０Ｒが弧状溝部５２に自然に挿入され、嵌合される。従って、斜面部５１は譜面立て１０の立設時の係合ガイド機能を果たす。また、譜面立て１０を弧状溝部５２から取り外すには、譜面立て１０を上方に引っ張って、脚部２０Ｌ、２０Ｒを弧状溝部５２から抜けばよい。
【００３４】
ところで、脚部２０Ｌ、２０Ｒを、弧状溝部５２の左右方向におけるどの位置に位置させたとしても、板状部１２Ｌ、１２Ｒは、弧状溝部５２と同じ曲率で同じ方向に湾曲した状態となるので、弧状溝部５２の任意の位置に脚部２０Ｌ、２０Ｒを係合させることができる。従って、脚部２０Ｌが弧状溝部５２の左端部５２ａ（図２（ａ）参照）に当接する位置から、脚部２０Ｒが弧状溝部５２の右端部５２ｂに当接する位置の間であれば、譜面立て１０の立設位置を自由に選択することができる。
【００３５】
しかも、弧状溝部５２が後方に凸となるように湾曲しているので、譜面立て１０を弧状溝部５２の左右端部近傍に立設したとしても、弧状溝部５２が直線的である場合に比し、譜面立て１０の譜面板１１の前面が奏者に近い方向を向く。従って、譜面立て１０をどの位置に立設しても、譜面９が見やすい。
【００３６】
ところで、図５（ａ）、（ｂ）に示すように、譜面板１１の左右端でもある譜面立て１０の左右端１０ａ、１０ｂは、それぞれ脚部２０Ｌの左端、及び脚部２０Ｒの右端よりも、左右方向外側にはみ出している。そして、脚部２０Ｌの左端が弧状溝部５２の左端部５２ａに当接したとき、譜面立て１０の左端１０ａが図２（ａ）に示す位置Ｐ１に位置し、脚部２０Ｒの右端が右端部５２ｂに当接したとき、譜面立て１０の右端１０ｂが位置Ｐ２に位置する。ここで、位置Ｐ１、Ｐ２は、放音部３４、３５の左右方向の略中央の位置に相当する。従って、譜面立て１０を、左右方向における立設可能な左限／右限位置に立設したときであっても、正面視において、放音部３４、３５の半分程度は譜面板１１に隠れることなく、前方に放音することができる。仮に、放音部３４、３５は、譜面板１１によって全面的に遮られとすると、特に高音領域では、音の伝達が悪くなる。しかし、上記のように位置設定したことで、放音部３４、３５の放音機能低下を許容範囲に抑えることができ、音がこもることがなく明瞭に聞こえる。
【００３７】
ところで、譜面立て１０は、１つの鍵盤楽器本体３０に対して１つ付属するが、ユーザは、事後的に同じ譜面立て１０を追加入手して、２つの譜面立て１０を用いることもできる。図７は、２つの譜面立て１０と譜面立て立設部５０との寸法関係を示す図であり、譜面立て１０は正面図、譜面立て立設部５０は平面図で示してある。
【００３８】
同図に示すように、２つの譜面立て１０を、第１の譜面立て１０−１、第２の譜面立て１０−２と記して区別する。両譜面立て１０の左右方向の幅の合計は、譜面立て立設部５０の全長より短い。しかも、第１の譜面立て１０−１の脚部２０Ｌの左端を、弧状溝部５２の左端部５２ａに当接させ、且つ、第２の譜面立て１０−２の脚部２０Ｒの右端を弧状溝部５２の右端部５２ｂに当接させたとき、両譜面立て１０間には間隙Ｃ１が生じるようになっている。従って、両譜面立て１０を、譜面立て立設部５０において左右方向に隣接して同時に並設可能になっている。これにより、長い曲用に作成された横長の譜面を、開いた状態で載置でき、演奏中にめくる必要がないか、あるいはめくる回数を減らすことができる。
【００３９】
ところで、上記のような横長の譜面を広げて載置するために、付属の譜面立てを用いる代わりに、薄板や束ねた厚紙等が臨時の譜面立てとして用いられる場合がある。本実施の形態においても、ユーザが、譜面立て１０を用いる代わりに、あるいは１つの譜面立て１０では足りない部分において、臨時の譜面立てを用いることが想定される。
【００４０】
図８（ａ）は、臨時の譜面立てを用いた譜面載置の態様を示す断面図である。同図（ｂ）は、譜面立て立設部５０と臨時の譜面立てとの位置関係を示す譜面立て立設部５０の右端部の平面図である。
【００４１】
同図（ａ）に示すように、臨時の譜面立て７は、その下端部が弧状溝部５２に挿入嵌合され、その弧状溝部５２より上方の部分は、譜面９が見やすいように、後方に傾斜している。この臨時の譜面立て７においては、譜面立て１０の譜面受け部１７に相当する部分がなく、譜面９の下端部が斜面部５１に直接当接し、斜面部５１が譜面受け部１７と同様に譜面９の下端部を保持する役割を果たす。ここで、斜面部５１は後方にいくにつれて下方に傾斜しているので、臨時の譜面立て７に保持された譜面９の下端部が前方に滑りにくくなっている。
【００４２】
また、同図（ｂ）に示すように、臨時の譜面立て７は、弧状溝部５２の右端部５２ｂに当接する状態が、最も右方に位置する状態である。一方、上述したように、斜面部５１は、右端部５２ｂを越えて右方に延びている。従って、臨時の譜面立て７を右方の限界位置に立設したときであっても、斜面部５１が存在する範囲内であれば、譜面９を、右端部５２ｂを越えて滑り防止効果を確保した状態で載置することができ、横長の譜面を載置するのに有利である。
【００４３】
本実施の形態によれば、弧状溝部５２と脚部２０とが互いに嵌合的に構成され、弧状溝部５２が後方に凸となるように湾曲しており、且つ譜面立て１０の２つの脚部２０を弧状溝部５２の任意の位置で共に嵌合させることが可能であるので、譜面立て１０をパネル部３３上の左右方向における任意の位置に立設することができる。しかも、弧状溝部５２が後方に凸となるように湾曲しているので、譜面立て１０を弧状溝部５２の左右端部近傍に立設したときでも、譜面９が比較的奏者に近い方向を向くので、譜面９の見やすさを確保することができる。それでいて、譜面立て１０を弧状溝部５２の左右方向中央に立設したときは、圧迫感がない。
【００４４】
また、譜面立て１０を、立設可能な範囲における左限／右限位置に立設した場合であっても、正面視で、譜面立て１０により放音部３４、３５が半分程度しか隠れないので、放音部３４、３５の前方への放音機能の低下を許容範囲に抑えることができる。なお、上記位置Ｐ１、Ｐ２（図２（ａ）参照）が、放音部３４、３５を実質的に遮らないような位置となるように、譜面立て１０の脚部２０の位置及び弧状溝部５２の左右端部５２ａ、５２ｂの位置を設定すればよく、そのようにするには、上記位置Ｐ１、Ｐ２は、少なくとも放音部３４、３５が１／３以上、譜面立て１０から左右両外側にはみ出るような位置とすることが望ましい。
【００４５】
本実施の形態によればまた、弧状溝部５２に連接して設けた斜面部５１が、後方に向かって下方に傾斜しているので、譜面立て１０を譜面立て立設部５０に立設する際の係合ガイドとなり、譜面立て１０の立設作業が容易である。また、斜面部５１は、臨時の譜面立て７を用いて譜面９を保持する際、譜面９を受けると共に、滑り止めの機能を果たすので、構成が簡単でありながら、利用範囲が広い。
【００４６】
また、弧状溝部５２は、断面略コ字状で底付きの溝状に形成され、しかも、傾斜面である斜面部５１が連接しているので、譜面立て立設部５０の断面２次モーメントが大きく、高い剛性を確保できることから、譜面立て１０を安定的に立設することができる。なお、前述の横リブ４２、縦リブ４０、４１等も、上ケース３１（乃至パネル部３３）の断面２次モーメントを大きくすることに寄与している。
【００４７】
また、譜面立て１０を２つ用いるとき、両譜面立て１０を左右方向に隣接して同時に並設可能であるので、横長の譜面を開いた状態に載置することが容易で、利用範囲が広い。
【００４８】
なお、両譜面立て１０を同時に複数並設する上では、少なくともそれらの左右方向の幅の合計が鍵盤楽器１００の左右方向全幅と同等以下で、且つ、立設可能な左限／右限位置に立設された譜面立て１０の左端及び右端が、鍵盤楽器１００の両端の内側に位置するように、各譜面立て及び譜面立て立設部５０を構成すればよい。従って、同時に立設する譜面立ては必ずしも２つに限定されず、３つ以上でもよく、また、それらのサイズは互いに同じでなくてもよい。
【００４９】
なお、本実施の形態において、各放音部３４、３５において、高音域と低・中音域とで放音領域を分け、外側、すなわち、放音部３４の左半部と放音部３５の右半部を主に高音の放音領域としてもよい。これにより、低・中音域に比し、遮蔽により伝達が妨げられ易い高音域の放音を譜面立て１０によって妨げられにくくすることができる。
【００５０】
なお、本実施の形態において、放音部３４、３５のうち右側の放音部３５が、その内部にツイータを有していることとして、主として高音域の放音を担うように構成してもよく、その場合は、左端部５２ａに比し右端部５２ｂの位置を左右方向内側に位置させるか、あるいは、脚部２０Ｌ、２０Ｒのうち右側の脚部２０Ｒの右端位置を脚部２０Ｌの左端位置に比し左右方向外側に設定するのが望ましい。これにより、放音部３４に比し放音部３５の方が譜面立て１０によって隠される範囲が狭くなるので、高音域の放音を譜面立て１０によって妨げられにくくすることができる。
【００５１】
なお、放音部３４、３５による前方への放音機能を良好にする観点からは、譜面立て１０の譜面板１１に多数の小透孔を設けてもよい。
【００５２】
次に、本実施の形態の鍵盤楽器の各種変形例を説明する。
【００５３】
まず、本実施の形態では、斜面部５１が譜面立て１０の係合ガイドとして機能したが、係合ガイドを設ける観点に限っていえば、斜面部５１のような構成である必要はない。図９（ａ）は、第１変形例において譜面立てを譜面立て立設部に立設した状態を示す模式図である。例えば、同図（ａ）に示すように、弧状溝部５２に相当する弧状溝部１５２の前方には斜面部は設けられておらず、弧状溝部１５２の後部において、パネル部３３に相当するパネル部１３３に、ストッパ部１３３ａが上方に突出して形成されている。
【００５４】
この構成によれば、譜面立て１０に相当する譜面立て１１０を弧状溝部１５２に係合させる際、パネル部１３３上を後方にスライドさせていけば、譜面立て１１０の脚部１２０の上部がストッパ部１３３ａに当接する。そして、譜面立て１１０の自重により脚部１２０が弧状溝部１５２に自然に挿入され、嵌合される。
【００５５】
なお、この第１変形例で示したストッパ部１３３ａと、上記斜面部５１とを、共に設け、両者が協働して係合ガイド機能を果たすようにしてもよい。
【００５６】
また、本実施の形態では、パネル部側に弧状溝部５２という溝状乃至凹状の係合部（以下、「パネル側係合部」と称する）を設け、譜面立て側に、上記パネル側係合部と係合する、脚部２０の板状部１２及び当接リブ１３、１４、１５という突状の係合部（図５（ｂ）参照）（以下、「譜面立て側係合部」と称する）を設け、両者を嵌合させることで譜面立て１０を立設できるようにした。しかしながら、両者の凹凸の関係は逆であってもよい。
【００５７】
図９（ｂ）は、第２変形例におけるパネル側係合部及び譜面立て側係合部を示す斜視図である。例えば、同図（ｂ）に示すように、弧状溝部５２に代えて、パネル部３３に弓形突条部２５２を設ける。一方、譜面立て１０に相当する譜面立て２１０の脚部２２０（２２０Ｌ、２２０Ｒ）には、それぞれ、弓形突条部２５２に対応する形状に形成され下方に開口した凹溝２２１を設ける。弓形突条部２５２のカーブ形状は弧状溝部５２と同様であり、凹溝２２１のカーブ形状は上記譜面立て１０の脚部２０の板状部１２と同じである。
【００５８】
このような構成により、弓形突条部２５２の左右方向における任意の位置に凹溝２２１が嵌合可能であるので、図１〜図８の例と同様に、譜面立て２１０を、左右方向における所望の位置に立設することができる。
【００５９】
なお、第２変形例においては、上記係合ガイドの機能を果たすものを設けるために、脚部２２０において、凹溝２２１を形成する前方の壁を後方の壁よりも下方に延出させ、この前方の壁が、弓形突条部２５２と当接することで、第１変形例におけるストッパ部１３３ａ（図９（ａ）参照）と同様に、係合ガイドの機能を果たすように構成してもよい。
【００６０】
図１０は、第３変形例におけるパネル側係合部及び譜面立て側係合部を示す斜視図である。例えば、同図に示すように、第２変形例（図９（ｂ）参照）における弓形突条部２５２を断続的な構造としたものに相当する弓形突条部３５２を、複数、左右方向に一列に連ねて設ける。一方、譜面立て３１０には、第２変形例における譜面立て２１０の脚部２２０を単一の構造としたものに相当する脚部３２０を設ける。脚部３２０には、連続的な１本の凹溝３２１が形成される。各弓形突条部３５２の間隔Ｃ２は、凹溝３２１の長さより十分に短く設定する。
【００６１】
このような構成によっても、弓形突条部３５２の左右方向における任意の位置に凹溝３２１が嵌合可能であるので、第２変形例と同様に、譜面立て３１０を、左右方向における所望の位置に立設することができる。
【００６２】
なお、第２、第３変形例で例示したように、譜面立て側係合部とパネル側係合部とは、互いに嵌合的な形状であって、一方が突状、他方が溝状に構成され、且つ、少なくとも一方が連続的に構成されればよい。この場合であっても、譜面立て側係合部及びパネル側係合部のうち、連続的に構成される方は、全長に亘って完全に連続していなくてもよく、複数の突条または溝が連なって連続的なものとして機能するものであってもよい。例えば、第２変形例（図９（ｂ）参照）において、弓形突条部２５２は全長に亘って連続的な形状としたが、第３変形例を応用して、弓形突条部２５２には、凹溝２２１の左右方向の長さより短い間隙を設け、実質的に、弓形突条部２５２を複数の突条を一列に連ねて構成してもよい。
【００６３】
なお、上記した本実施の形態（図１〜図８の例）では、譜面立て１０の脚部２０を弧状溝部５２に嵌合させたとき、当接リブ１３、１４、１５（図５（ｂ）参照）は、各々、鉛直方向に沿う線当たり状態で弧状溝部５２に当接するので、１つの脚部２０の支持態様は、実質的に、当接リブ１３、１４、１５の３箇所支持である。従って、譜面立てをパネル部上の左右方向における任意の位置に立設できると共に、左右端部近傍に立設したときでも譜面の見やすさを確保するという観点からみれば、脚部２０の板状部１２自体が弧状溝部５２と同様な曲率で湾曲していることは必須ではない。
【００６４】
このことから考察すると、譜面立て側係合部及びパネル側係合部の一方のみを、湾曲した連続的な突条／凹溝としてもよい。この場合、譜面立て側係合部及びパネル側係合部の他方は、左右方向の複数箇所において、対応する突条／凹溝に対して面当たりまたは鉛直方向の線当たり状態で当接するものであって、対応する突条を前後から挟みこむような形状、あるいは対応する凹溝に嵌合される突形状とすればよい。
【図面の簡単な説明】
【００６５】
【図１】本発明の一実施の形態に係る鍵盤楽器の斜視図（図（ａ））、及び右側面図（図（ｂ））である。
【図２】鍵盤楽器本体の平面図（図（ａ））、及び背面図（図（ｂ））である。
【図３】上ケースの裏面図である。
【図４】図３のＡ−Ａ線に沿う断面図である。
【図５】譜面立ての正面図（図（ａ））、底面図（図（ｂ））、及び同図（ａ）のＢ−Ｂ線に沿う断面図（図（ｃ））である。
【図６】図５（ｂ）のＣ−Ｃ線に沿う断面に譜面立て立設部の断面を併せて示した図である。
【図７】２つの譜面立てと譜面立て立設部との寸法関係を示す図である。
【図８】臨時の譜面立てを用いた譜面載置の態様を示す断面図（図（ａ））、及び譜面立て立設部と臨時の譜面立てとの位置関係を示す譜面立て立設部の右端部の平面図（図（ｂ））である。
【図９】本実施の形態の第１変形例において譜面立てを譜面立て立設部に立設した状態を示す模式図（図（ａ））、及び第２変形例におけるパネル側係合部及び譜面立て側係合部を示す斜視図（図（ｂ））である。
【図１０】本実施の形態の第３変形例におけるパネル側係合部及び譜面立て側係合部を示す斜視図である。
【符号の説明】
【００６６】
９…譜面、  １０、１１０、２１０、３１０…譜面立て、  １０ａ…左端、  １０ｂ…右端、  １２…板状部（譜面立て側係合部の一部）、  １３、１４、１５…当接リブ（譜面立て側係合部の一部）、  ２０、１２０、２２０、３２０…脚部、  ３０…鍵盤楽器本体、  ３２…鍵盤部、  ３３、１３３…パネル部、  ３４、３５…放音部、  ５０…譜面立て立設部、  ５１…斜面部（係合ガイド部、傾斜部）、  ５２、１５２…弧状溝部（パネル側係合部）、  １００…鍵盤楽器、  １３３ａ…ストッパ部（係合ガイド部）、  ２２１、３２１…凹溝（譜面立て側係合部）、  ２５２、３５２…弓形突条部（パネル側係合部）、  Ｐ１、Ｐ２…位置
【図１】
2006251716.tif 000003
【図２】
2006251716.tif 000004
【図３】
2006251716.tif 000005
【図４】
2006251716.tif 000006
【図５】
2006251716.tif 000007
【図６】
2006251716.tif 000008
【図７】
2006251716.tif 000009
【図８】
2006251716.tif 000010
【図９】
2006251716.tif 000011
【図１０】
2006251716.tif 000012